(57)【要約】【課題】  凝縮器として使用され、また蒸発器として使用された時の熱交換器を流通する冷媒流と均一な空気流とを垂直方向に対向させて、熱交換効率を向上させコンパクト化を図れるようにした空気調和機を提供する。【解決手段】  室外熱交換器４は、凝縮器として使用する際、冷媒が冷媒路の上方から下方に向けて流通するとともに、クロスフローファン５により下部通風口１ａから空気路に導入された空気流が冷媒流に対向して流通する一方、蒸発器として使用する際、冷媒が冷媒路の下方から上方に向けて流通するとともに、クロスフローファン５により上部通風口１ｂから空気路に導入された空気流が冷媒流に対向して流通するようにし、電装部６は室外熱交換器４の前部であってファンケーシングの上部に設けた。【選択図】  図１
2010127479.tif 000002
【特許請求の範囲】
【請求項１】
本体の前面下部に設けられた下部通風口と、上面後部に設けられた上部通風口とを結ぶ空気通路に、前記下部通風口にファンケーシングを介して連通した下部開口と、前記上部通風口に連通した上部開口とを備えたシェルと、同シェルの内部に上下方向に延びる冷媒路と空気路とを備えた熱交換器と、前記ファンケーシングと送風方向を切り替える切替手段とクロスフローファンとからなる送風機とを設けてなり、
前記熱交換器は、凝縮器として使用する際、冷媒が前記冷媒路の上方から下方に向けて流通するとともに、前記送風機により前記下部通風口から前記空気路に導入された空気流が冷媒流に対向して流通する一方、蒸発器として使用する際、冷媒が前記冷媒路の下方から上方に向けて流通するとともに、前記送風機により前記上部通風口から前記空気路に導入された空気流が冷媒流に対向して流通するようにしてなることを特徴とする空気調和機。
【請求項２】
前記本体の一側に圧縮機が設けられ、他側に前記熱交換器と前記送風機とが設けられるとともに、前記熱交換器の前部であって前記ファンケーシングの上部に電装部が設けられてなることを特徴とする請求項１に記載の空気調和機。
【請求項３】
前記冷媒路が多孔管からなり、同多孔管の上下部が上下のヘッダーにより夫々連結されてなることを特徴とする請求項１に記載の空気調和機。
【請求項４】
前記空気路にオフセットフィンが設けられてなることを特徴とする請求項１に記載の空気調和機。
【発明の詳細な説明】
【技術分野】
【０００１】
本発明は、空気調和機に係わり、より詳細には、熱交換器を流通する冷媒流と空気流とを垂直方向に対向させて熱交換効率を向上させるようにした構成に関する。
【背景技術】
【０００２】
従来の空気調和機には、図８（Ａ）〜図８（Ｃ）に示す室外機のように、冷房運転時および暖房運転時ともに、室外の熱交換器（以下、室外熱交換器という）ａを流通する冷媒流に送風ファンｂによる空気流を対向させることにより、室外熱交換器ａの熱交換効率の向上を図るものがある。
【０００３】
具体的には、室外機に二列構成の室外熱交換器ａを配置し、冷媒にＲ４０７Ｃを使用する場合、送風ファンｂを逆転可能なものにし、冷房運転時と暖房運転時とで室外熱交換器ａを流通する冷媒が逆向きになっても、その冷媒流に送風ファンｂによる空気流が対向するよう送風ファンｂを運転することにより、室外熱交換器ａの熱交換効率を向上させるように構成されている（例えば、特開平９−２６１６３号公報参照）。
【０００４】
このものにおいては、二列構成の室外熱交換器ａを流通する冷媒流に対し、送風ファンｂによる空気流は室外熱交換器ａの列方向に対向しているのであって、図８（Ｂ）および図８（Ｃ）に矢印で示す冷媒流Ａと、同じく矢印で示す空気流Ｂとが実質的には互いに直交する構成になっているので、例えば、冷媒流と空気流とを対向させて対向流を構成する場合に較べて、室外熱交換器ａを流通する冷媒と空気間における熱交換効率は劣ることになり、また、図８（Ａ）に示すように、圧縮機ｃの上部に電装部ｄが設けられていることにより、圧縮機ｃの高さ寸法に電装部ｄの高さ寸法が加えられるためコンパクト化を図るのが困難であった。
【０００５】
また、図９（Ａ）〜図９（Ｃ）に矢印で示すように、一次系流体（冷媒）の流れｅと二次系流体（空気）の流れｇとを対向させるようにした室外熱交換器ａとして、流体入口ｆ１から流体出口ｆ２に向けて流れる一次系流体（冷媒）を流通する流路ｆと、流体入口ｈ２から流体出口ｈ１に向けて流れる二次系流体（空気）を流通する流路ｈとを水平状に対向させることによって、熱交換効率を向上させるように構成したものがある（例えば、特開２００８−１２８５７４号公報参照）。
【０００６】
このものにおいては、例えば、一次系流体（冷媒）の流れｅと、二次系流体（空気）の流れｇとを垂直方向に直行して対向させる場合に較べて、流動抵抗は大きくなってしまう恐れがあった。
【０００７】
また、プロペラファンからなる送風ファンｂは、例えばクロスフローファンに較べて空間容積に占める割合が大きくなって室外機のコンパクト化が困難になってしまったり、空気流が室外熱交換器ａの全域に向けて均一な風速で流通しにくいため、熱交換効率が良好にならない恐れがあった。
【特許文献１】特開平９−２６１６３号公報
【特許文献２】特開２００８−１２８５７４号公報
【発明の開示】
【発明が解決しようとする課題】
【０００８】
そこで、本発明は上述した課題を解決するためになされたものであって、その目的は、凝縮器として使用され、また蒸発器として使用された時の熱交換器の熱交換効率を向上させるとともに、コンパクト化を図れるようにした空気調和機を提供することにある。
【課題を解決するための手段】
【０００９】
上述した目的を達成できるように構成するため、本発明は以下に示す特徴を備えている。
【００１０】
本体の前面下部に設けられた下部通風口と、上面後部に設けられた上部通風口とを結ぶ空気通路に、前記下部通風口にファンケーシングを介して連通した下部開口と、前記上部通風口に連通した上部開口とを備えたシェルと、同シェルの内部に上下方向に延びる冷媒路と空気路とを備えた熱交換器と、前記ファンケーシングと送風方向を切り替える切替手段とクロスフローファンとからなる送風機とを設けてなり、
前記熱交換器は、凝縮器として使用する際、冷媒が前記冷媒路の上方から下方に向けて流通するとともに、前記送風機により前記下部通風口から前記空気路に導入された空気流が冷媒流に対向して流通する一方、蒸発器として使用する際、冷媒が前記冷媒路の下方から上方に向けて流通するとともに、前記送風機により前記上部通風口から前記空気路に導入された空気流が冷媒流に対向して流通するようにしてなることを特徴としている。
【００１１】
また、前記本体の一側に圧縮機が設けられ、他側に前記熱交換器と前記送風機とが設けられるとともに、前記熱交換器の前部であって前記ファンケーシングの上部に電装部が設けられてなることを特徴としている。
【００１２】
また、前記冷媒路が多孔管からなり、同多孔管の上下部が上下のヘッダーにより夫々連結されてなることを特徴としている。
【００１３】
また、前記空気路にオフセットフィンが設けられてなることを特徴としている。
【発明の効果】
【００１４】
本発明によれば、凝縮器として使用され、また蒸発器として使用された時の熱交換器を流通する冷媒流と、熱交換器の全域を均一な風速で流通する空気流とを垂直方向に対向させて熱交換効率を向上させ、熱交換器の前部であって前記ファンケーシングの上部に電装部を設けることでコンパクト化を図れるようにした空気調和機を提供できる。
【発明を実施するための最良の形態】
【００１５】
本発明による空気調和機は、マイクロチャンネル形の熱交換器を備えており、この熱交換器を流通する冷媒流と空気流とを垂直方向に対向させることで、熱交換効率を向上させるように構成している。
【００１６】
また、送風方向を切り替える切替手段を有するクロスフローファンを用いることで、熱交換器の全域に向け均一な風速で空気を流通させて熱交換効率を向上させるとともに、圧縮機の上部ではなく熱交換器の前部であってファンケーシングの上部に電装部を設けることで、上下寸法を抑えてコンパクト化を図れるように構成している。
【００１７】
マイクロチャンネル形の熱交換器を備えた空気調和機としては、空気調和機の室外機、空気調和機の室内機および給湯暖房機の室外機などがあるが、本発明を実施するための最良の形態として、ここでは、空気調和機の室外機に備えた熱交換器の熱交換効率を向上させるとともに、空気調和機の室外機のコンパクト化を図れるように構成にした実施形態として説明する。
【００１８】
なお、空気調和機の室内機および給湯暖房機の室外機などにおいても、同様の構成および作用効果を得ることができる。
【００１９】
図１は本発明による空気調和機の説明図で、（Ａ）は空気調和機の室外機の正面図、（Ｂ）は空気調和機の室外機を含む冷凍サイクルを示す図であり、図２は図１（Ａ）に示すＡ−Ａ断面図で、（Ａ）は冷房運転時に室外機を流れる空気流を示す図、（Ｂ）は暖房運転時に空気調和機の室外機を流れる空気流を示す図であり、図３は本発明による空気調和機に使用される熱交換器をなす多孔管の要部説明図で、（Ａ）は正面から見た要部断面図、（Ｂ）は図３（Ａ）に示すＢ−Ｂ断面図、（Ｃ）は側面図である。
【００２０】
図４は本発明による空気調和機に使用される熱交換器を流通する冷媒流と空気流とを示す説明図で、（Ａ）は正面から見た要部断面図、（Ｂ）は一例として図４（Ａ）に示すＣ−Ｃ断面図であり、図５は他の例として図４（Ａ）に示すＣ−Ｃ断面図である。
【００２１】
図６は本発明による空気調和機に使用される熱交換器に取り付けたヘッダーを示す説明図で、（Ａ）は上面から見た要部断面図、（Ｂ）は側面図であり、図７は熱交換器の上下部をキャップで密閉する前後の状態を示す説明図で、（Ａ）は熱交換器の上下部がキャップで密閉される前の状態を示す側面図、（Ｂ）は正面図、（Ｃ）は熱交換器の上下部がキャップで密閉された後の状態を示す側面図、（Ｄ）は正面図である。
【００２２】
ここで、図面を参照しながら、本発明の実施形態について説明する。
【００２３】
本発明による空気調和機（以下、空気調和機の室外機（室外側）１、または本体１という）は、図１（Ａ）と、図２（Ａ）および図２（Ｂ）とに示すように、本体１の一側に圧縮機２を備え、他側の前面下部に設けられた下部通風口１ａと、上面後部に設けられた上部通風口１ｂとを結ぶ空気通路には熱交換器４（以下、室外熱交換器４という）と、ファンケーシング５ａと送風方向を切り替える後述する切替手段とクロスフローファン５とからなる送風機とが設けられ、室外熱交換器４の前部であってファンケーシング５ａの上部には電装部６が設けられている。
【００２４】
室外熱交換器４は、図２（Ａ）および図２（Ｂ）と、図４（Ａ）および図４（Ｂ）とに示すように、下部通風口１ａにファンケーシング５ａを介して連通した下部開口４ｃ’と、上部通風口１ｂに連通した上部開口４ｃ’’とを備えたシェル４ｃと、シェル４ｃの内部に上下方向に延びる冷媒路４ｂと空気路４ｅとを備えた構成になっている。
【００２５】
次に、送風機の構成について、図２（Ａ）および図２（Ｂ）に基づいて、以下に順次説明する。
【００２６】
同図に示すように、送風機を構成するクロスフローファン５は、室外熱交換器４に対向して、弾性変形が可能な２枚の可撓性を有する第一ガイド５ｂおよび第二ガイド５ｃのほぼ中心に設けられている。
【００２７】
可撓性を有する第一ガイド５ｂおよび第二ガイド５ｃは、一端がファンケーシング５ａの上下面に固定される一方、他端（先端）は、クロスフローファン５に近接している移動可能な第一スタビライザ５ｄおよび第二スタビライザ５ｅを固定しており、これら第一スタビライザ５ｄおよび第二スタビライザ５ｅを前後に移動させる時に弾性変形をする。
【００２８】
第一スタビライザ５ｄおよび第二スタビライザ５ｅは、図２（Ａ）および図２（Ｂ）の矢印で示すように、クロスフローファン５の外周部に対し前後に移動可能な連結部材５ｆで連結されている。
【００２９】
上述した第一ガイド５ｂおよび第二ガイド５ｃと、第一スタビライザ５ｄおよび第二スタビライザ５ｅと、そして、これら第一スタビライザ５ｄおよび第二スタビライザ５ｅを前後に移動可能に連結する連結部材５ｆとによって、送風方向を切り替える送風機の切替手段が構成されており、連結部材５ｆで連結された第一スタビライザ５ｄおよび第二スタビライザ５ｅが前後に移動することで、可撓性を有する第一ガイド５ｂおよび第二ガイド５ｃによって構成されている通風路が変形して、クロスフローファン５による送風方向が変えられる。
【００３０】
クロスフローファン５は、図示しないファンモータで駆動されて、常に、図２（Ａ）および図２（Ｂ）の矢印ｆに示すように反時計方向に回転する。
【００３１】
送風機を構成するファンケーシング５ａは、前部が下部通風口１ａに連通するとともに、後部が室外熱交換器４を構成するシェル４ｃの前面下部に備えた下部開口４ｃ’に連通することにより、下部通風口１ａと上部通風口１ｂとを結ぶ空気通路の一部を形成している。
【００３２】
次に、電装部６の配置について、図１（Ａ）と、図２（Ａ）および図２（Ｂ）とに基づいて説明する。
【００３３】
電装部６は、室外熱交換器４の前部であって、ファンケーシング５ａの上部に設けられており、このように室外熱交換器４の前部であって、ファンケーシング５ａの上部に設けられたことで、背景技術で上述したように電装部６が圧縮機２の上部に設けられた場合に較べて、空気調和機の室外機（室外側）１としての高さ寸法を抑えてコンパクト化を図れるようになっている。
【００３４】
電装部６が設けられた室外熱交換器４の前部であって、ファンケーシング５ａの上部は、図２（Ａ）および図２（Ｂ）に示すように、該ファンケーシング５ａが下部通風口１ａに前部を連通させ、下部開口４ｃ’に後部を連通させるように設けられたことでデッドスペースが生じることになり、このデッドスペースに電装部６を設けることで本体１のコンパクト化を図れるようにしている。
【００３５】
本発明による空気調和機の室外機（室外側）１を含む冷凍サイクルは、図１（Ｂ）に示す白い矢印のように、冷房運転時には、空気調和機の室外機（室外側）１に設けた圧縮機２から吐き出された冷媒が、四方弁３からクロスフローファン５を対向配置した室外熱交換器４に循環したのち、膨張弁７を通って室内機（室内側）８に設けた室内熱交換器９に循環し、四方弁３を経て圧縮機２に循環する。
【００３６】
この冷房運転時に、室外熱交換器４を流通する冷媒流は、図３（Ａ）に示す矢印ａのように、上下方向に延びる平行な多数の冷媒路（伝熱管）４ｂによって室外熱交換器４の上方から下方に向けて流通するように構成されている。
【００３７】
その際、クロスフローファン５が、図２（Ａ）に示す矢印ｆのように反時計方向に回転するとともに、送風方向を切り替える切替手段を構成する第一スタビライザ５ｄおよび第二スタビライザ５ｅと、これらを連結した連結部材５ｆとが、図２（Ａ）に示す矢印のように前方に移動することにより、第一スタビライザ５ｄとクロスフローファン５との隙間ｓ１が、第二スタビライザ５ｅとクロスフローファン５との隙間ｓ２よりも狭くなる。
【００３８】
これにより、「隙間ｓ１＜隙間ｓ２」となったことで、隙間ｓ１では渦が発生し隙間ｓ２では空気が流通する構成になって、図２（Ａ）に示す矢印Ａのように下部通風口１ａから吸い込まれた外気が、空気通路に備えた室外熱交換器４の下方から上方に向けて冷媒流に対向するように流通したのち、本体１の上面後部に設けられた上部通風口１ｂから外部に向けて矢印Ａ’のように吹き出されることになる。
【００３９】
また、暖房運転時には、図１（Ｂ）に示す黒い矢印のように、空気調和機の室外機（室外側）１に設けた圧縮機２から吐き出された冷媒が、四方弁３から室内機（室内側）８に設けた室内熱交換器９に循環したのち、膨張弁７を通ってクロスフローファン５を対向配置した室外熱交換器４に循環し、四方弁３を経て圧縮機２に循環する。
【００４０】
この暖房運転時に、室外熱交換器４を流通する冷媒流は、上下方向に延びる平行な多数の冷媒路（伝熱管）４ｂによって室外熱交換器４の下方から上方に向けて流通することになる。
【００４１】
その際、クロスフローファン５が、図２（Ｂ）に示す矢印ｆのように反時計方向に回転するとともに、送風方向を切り替える切替手段を構成する第一スタビライザ５ｄおよび第二スタビライザ５ｅと、これらを連結した連結部材５ｆとが、図２（Ｂ）に示す矢印のように後方に移動することにより、第二スタビライザ５ｅとクロスフローファン５との隙間ｓ２が、第一スタビライザ５ｄとクロスフローファン５との隙間ｓ１よりも狭くなる。
【００４２】
そして、「隙間ｓ２＜隙間ｓ１」となったことで、隙間ｓ２では渦が発生し隙間ｓ１では空気流が流通する構成になって、図２（Ｂ）に示す矢印Ｂのように上部通風口１ｂから吸い込まれた外気が、空気通路に備えた室外熱交換器４の上方から下方に向けて冷媒流に対向するように流通したのち、本体１の前面下部に設けられた下部通風口１ａから外部に向けて矢印Ｂ’のように吹き出されることになる。
【００４３】
これにより、冷媒流と空気流とが互いに対向流となることを実現できるようになり、また、冷媒が凝縮する時はクオリティ（乾き度）が高い方を上にすることで気泡が上昇していく時の流動抵抗を小さくでき、冷媒が蒸発する時にはクオリティ（乾き度）が高い方を下にすることで、気泡が上昇していく方向と冷媒が流れる方向が同じになって流動抵抗が小さくて済む。
【００４４】
また、冷媒の凝縮時には、空気は被加熱媒体として温められるので密度が小さくなり軽くなる。従って、この時に空気を下方から上方に流すのことで、クロスフローファン５に対する流動抵抗を減少させることにもなる。
【００４５】
更に、冷媒の蒸発時には空気は加熱媒体となり、熱交換により冷却していくことから密度が大きくなって重くなる。従って、この時に空気を上方から下方に流すのことで、クロスフローファン５の流動抵抗（または負荷）を軽減する一助にもなる。
【００４６】
また、送風機を構成する送風ファンとして、送風方向を切り替える切替手段を備えたクロスフローファン５が設けられたことにより、冷房運転時と暖房運転時とで送風方向（向き）を容易に切り替えることができて、室外熱交換器４の全域に対する風速分布の均一化をはかることができるようになるため、冷房運転時および暖房運転時とも熱交換効率の向上を図れるようになっている。
【００４７】
なお、図２（Ａ）および図２（Ｂ）に基づいて説明した空気調和機の室外機（室外側）１における冷媒の流れと空気の流れは、例えば、床置き設置されるタイプの空気調和機の室内機や給湯暖房機の室外機の場合であっても、類似の構成にすることができる。
【００４８】
その場合、例えば、平行に並べられた多数のフィンおよびこれに直交する伝熱管からなる熱交換器を用いた場合に較べて熱交換効率が良好であって、また、空間容積に占める割合が大きくなるプロペラファンを用いた場合に較べて、空間容積に占める割合が小さいクロスフローファン５によって熱交換器に向かう送風の分布が均一であることから、空気調和機として、熱交換効率を高めコンパクト化を図る上で有利な構成でなる商品を提供できるようになる。
【００４９】
ここで、室外熱交換器４の構成と、室外熱交換器４を流通する冷媒流および空気流の動作について、図３乃至図７に基づいて詳細に説明する。
【００５０】
室外熱交換器４は、本体１の前面下部に設けられた下部通風口１ａにファンケーシング５ａの後部を連結することによって連通する下部開口４ｃ’と、本体１の上面後部に設けられた上部通風口１ｂに連通する上部開口４ｃ’’とを備えたシェル４ｃと、シェル４ｃの内部に所定の間隔で並べられた上下方向に延びる複数の偏平状の多孔管４ａからなる冷媒路（伝熱管）４ｂと、所定の間隔で並べられた多孔管４ａ同士の間、およびシェル４ｃと多孔管４ａとの間からなる空気路４ｅと、冷媒路（伝熱管）４ｂの上下部に設けられた連結部４ｄ’に連結され、冷媒出入口４ｄ’’を有する上下のヘッダー４ｄとで構成されている。
【００５１】
偏平状の多孔管４ａは、図７（Ａ）および図７（Ｂ）によってその上下端にキャップ４ｇが装着される前の状態を示し、図７（Ｃ）および図７（Ｄ）によってその上下端にキャップ４ｇが装着された後の状態を示しているように、キャップ４ｇが装着されることによって密閉された構成になる。
【００５２】
シェル４ｃは、図４（Ａ）および図４（Ｂ）と、図５と、図６（Ａ）とに示すように、その内壁が偏平状の多孔管４ａの一部と接触するように構成することで、上下方向に延びて空気が流通する多数の空気路４ｅを形成するとともに、室外熱交換器４としての外郭形状を形成している。
【００５３】
送風方向を切り替える切替手段を備えたクロスフローファン５を採用したことで、上述したとおり、室外熱交換器４に対する風速分布の均一化をはかれるように構成できて、空気流が多数の空気路４ｅに均一に分岐されるようになり、ヘッダー４ｄにより多数の冷媒路（伝熱管）４ｂに夫々均一に分岐された冷媒流と対向する流れになって、室外熱交換器４は熱交換効率を向上できるようになる。
【００５４】
ヘッダー４ｄは、図６（Ｂ）に示すロウ付け部Ｒが連結部４ｄ’にロウ付けされた構成になっており、図６（Ａ）の白い矢印ａで示す上部の冷媒出入口４ｄ’’から流入した冷媒を多数の冷媒路（伝熱管）４ｂに分岐する。
【００５５】
多数の冷媒路（伝熱管）４ｂに分岐した冷媒は、図３（Ａ）に示す矢印ａのように上方から下方に向けて流通し、この冷媒路（伝熱管）４ｂを流通しながら空気と熱交換したのちに、図６（Ｂ）に示す下部の冷媒出入口４ｄ’’から、図１（Ｂ）に示す膨張弁７に向けて流出することになる。
【００５６】
その際、図４（Ｂ）に示す空気路４ｅを、冷媒路（伝熱管）４ｂを流通する冷媒流に対向するように空気流が流通することになって、冷媒および空気間における熱交換が効率よく行われることになる。
【００５７】
また、下部の冷媒出入口４ｄ’’から流入して多数の冷媒路（伝熱管）４ｂに分岐された冷媒は、図４（Ａ）に示す矢印ｂのように下方から上方に向けて流通し、この冷媒路（伝熱管）４ｂを流通しながら空気と熱交換したのちに、図６（Ａ）の黒い矢印ｂで示す上部の冷媒出入口４ｄ’’、すなわち図６（Ｂ）に示す上部の冷媒出入口４ｄ’’から、図１（Ｂ）に示す四方弁３に向けて流出することになる。
【００５８】
その際、図４（Ａ）および図４（Ｂ）に示す空気路４ｅを、図４（Ａ）に示す矢印Ｂのように、冷媒路（伝熱管）４ｂを流通する冷媒流に対向する上方からの空気流が流通することになって、冷媒および空気間における熱交換が効率よく行われることになる。
【００５９】
また、上下方向に延びる空気路４ｅには、図５に示すように、空気の流れを阻害しないように空気路４ｅに沿わせたオフセットフィン４ｆを設けた構成にしてもよく、オフセットフィン４ｆを入れることで伝熱面積を増加させることになって、更に冷媒および空気間における熱交換効率を高めることができるようになる。
【００６０】
以上説明したように、本発明の構成によれば、室外熱交換器４を流通する冷媒流と空気流とを垂直方向に対向させ、かつ室外熱交換器４に対向するクロスフローファン５が設けられたことで熱交換効率を向上できるとともに、電装部６が、圧縮機２の上部ではなく熱交換器４の前部であってファンケーシング５ａの上部に設けられたことで、高さ寸法を抑えてコンパクト化を図れるようにした空気調和機となる。
【図面の簡単な説明】
【００６１】
【図１】本発明による空気調和機の説明図で、（Ａ）は空気調和機の室外機の正面図であり、（Ｂ）は空気調和機の室外機を含む冷凍サイクルを示す図である。
【図２】図１（Ａ）に示すＡ−Ａ断面図で、（Ａ）は冷房運転時に室外機を流れる空気流を示す図であり、（Ｂ）は暖房運転時に空気調和機の室外機を流れる空気流を示す図である。
【図３】本発明による空気調和機に使用される熱交換器をなす偏平状の多孔管群の要部説明図で、（Ａ）は正面から見た要部断面図であり、（Ｂ）は図３（Ａ）に示すＢ−Ｂ断面図、（Ｃ）は側面図である。
【図４】本発明による空気調和機に使用される熱交換器を流通する冷媒流と空気流とを示す説明図で、（Ａ）は正面から見た要部断面図であり、（Ｂ）は一例として図４（Ａ）に示すＣ−Ｃ断面図である。
【図５】他の例として図４（Ａ）に示すＣ−Ｃ断面図である。
【図６】本発明による空気調和機に使用される熱交換器に取り付けたヘッダーを示す説明図で、（Ａ）は上面から見た要部断面図であり、（Ｂ）は側面から見た図である。
【図７】熱交換器の上下部をキャップで密閉する前後の状態を示す説明図で、（Ａ）は熱交換器の上下部がキャップで密閉される前の状態を示す側面図であり、（Ｂ）は正面図であり、（Ｃ）は熱交換器の上下部がキャップで密閉された後の状態を示す側面図であり、（Ｄ）は正面図である。
【図８】従来例による空気調和機の説明図で、（Ａ）は上面パネルを取り外した外観斜視図であり、（Ｂ）は冷房運転時に熱交換器を流通する冷媒流と空気流を示す斜視図であり、（Ｃ）は暖房運転時に熱交換器を流通する冷媒流と空気流を示す斜視図である。
【図９】従来例による熱交換器の説明図で、（Ａ）は外観斜視図であり、（Ｂ）は図９（Ａ）に示すＤ−Ｄ断面における一次系流体の流路を示す図であり、（Ｃ）は図９（Ａ）に示すＤ−Ｄ断面における二次系流体の流路を示す図である。
【符号の説明】
【００６２】
１  空気調和機の室外機（室外側）または本体
１ａ  下部通風口
１ｂ  上部通風口
２  圧縮機
３  四方弁
４  室外熱交換器（熱交換器）
４ａ  多孔管
４ｂ  冷媒路（伝熱管）
４ｃ  シェル
４ｃ’  下部開口
４ｃ’’  上部開口
４ｄ  ヘッダー
４ｄ’  連結部
４ｄ’’  冷媒出入口
４ｅ  空気路
４ｆ  オフセットフィン
４ｇ  キャップ
Ｒ  ロウ付け部
５  クロスフローファン
５ａ  ファンケーシング
５ｂ  第一ガイド
５ｃ  第二ガイド
５ｄ  第一スタビライザ
５ｅ  第二スタビライザ
５ｆ  連結部材
ｓ１  隙間
ｓ２  隙間
６  電装部
７  膨張弁
８  空気調和機の室内機
９  室内熱交換器
【図１】
2010127479.tif 000003
【図２】
2010127479.tif 000004
【図３】
2010127479.tif 000005
【図４】
2010127479.tif 000006
【図５】
2010127479.tif 000007
【図６】
2010127479.tif 000008
【図７】
2010127479.tif 000009
【図８】
2010127479.tif 000010
【図９】
2010127479.tif 000011